(57)【要約】【課題】  洗濯したワイシャツを乾かす際にワイシャツに折り目をつけ、しわを生じさせずに乾かすことができて、アイロンがけをしたと同等に仕上げることができる、簡易なハンガーを提供する。【解決手段】  洗濯した衣類を折り目をつけて乾燥させるためのハンガー１０であって、衣類の肩の部分および袖の部分を支持する支持アーム部２０が、断面形状で上方が先鋭となるエッジ状に形成されている。前記支持アーム部２０は、衣類の肩の部分を支持する主アーム部１３と、該主アーム部１３の両端部に連結部１６により折りたたみ可能に設けられた右アーム部１４と左アーム部１５とからなる。【選択図】          図１
2006087787.tif 000002
【特許請求の範囲】
【請求項１】
洗濯した衣類を折り目をつけて乾燥させるためのハンガーであって、
衣類の肩の部分および袖の部分を支持する支持アーム部が、断面形状で上方が先鋭となるエッジ状に形成されていることを特徴とするハンガー。
【請求項２】
前記支持アーム部が、衣類の肩の部分を支持する主アーム部と、該主アーム部の両端部に連結部により折りたたみ可能に設けられた右アーム部と左アーム部とからなることを特徴とする請求項１記載のハンガー。
【請求項３】
前記連結部が、前記右アーム部と左アーム部とを交差させて折りたたんだ状態を保持する保持手段を備えていることを特徴とする請求項２記載のハンガー。
【請求項４】
前記ハンガーが、衣類の襟の部分の形を整えるアタッチメントを備えていることを特徴とする請求項１〜３のいずれか一項記載のハンガー。
【請求項５】
前記ハンガーが、衣類の袖口部分の形を整えるアタッチメントを備えていることを特徴とする請求項１〜４のいずれか一項記載のハンガー。
【請求項６】
前記ハンガーが、衣類の胴部分の形を整えるとともに、支持アーム部に荷重を加えるための大クリップを備えていることを特徴とする請求項１〜５のいずれか一項記載のハンガー。
【請求項７】
前記ハンガーが、衣類の袖部分の形を整えるとともに、袖部分に荷重を作用させるための吊り下げロッドを備えていることを特徴とする請求項１〜６のいずれか一項記載のハンガー。
【発明の詳細な説明】
【技術分野】
【０００１】
本発明は、洗濯後にワイシャツを乾かす際に使用するハンガーに関する。
【背景技術】
【０００２】
ワイシャツなどの衣類のアイロン掛けは煩雑で労力がかかる作業である。また、出張時にワイシャツを洗濯した場合でもアイロンが無かったり、アイロン掛けがわずらわしいために洗濯をすることができず、何枚もワイシャツなどの衣類を持っていかなければならないといった不便さがあった。
このような煩雑さや不便さを解消する目的で、ハンガーに掛けるだけで形を整えることができる形態安定加工を施した繊維製品が提供され、また、衣類を干す際にしわを伸ばすようにして干すことによって衣類の形を整えて乾燥させることができるハンガーが考案されている（特許文献１、２参照）。
【特許文献１】特開平７−１２４３９３号公報
【特許文献２】実開平４−２７５号公報
【発明の開示】
【発明が解決しようとする課題】
【０００３】
しかしながら、形態安定加工を施したような衣類であっても、洗濯したワイシャツを単にハンガーに吊して乾燥させる方法では、ワイシャツに折り目をつけることはできないし、形を整えることも不十分である。また、衣類を干す際にしわを伸ばすようにするハンガーは構造が複雑であり、旅行等に携帯するには不向きである。
本発明は、洗濯したワイシャツを乾かす際にワイシャツに折り目をつけ、しわを生じさせずに乾かすことができて、アイロンがけをしたと同等に仕上げることができる、簡易なハンガーを提供することを目的とする。
【課題を解決するための手段】
【０００４】
上記目的を達成するため、本発明は以下の構成を備える。
すなわち、洗濯した衣類を折り目をつけて乾燥させるためのハンガーであって、衣類の肩の部分および袖の部分を支持する支持アーム部が、断面形状で上方が先鋭となるエッジ状に形成されていることを特徴とする。
【０００５】
また、前記支持アーム部が、衣類の肩の部分を支持する主アーム部と、該主アーム部の両端部に連結部により折りたたみ可能に設けられた右アーム部と左アーム部とからなることを特徴とする。右アーム部と左アーム部とを折りたたみ可能としたことにより、アームが外方に延出することが防止でき、衣類を乾燥する際に省スペース化を図ることができて、乾燥機にかけることも容易に可能になる。
また、前記連結部が、前記右アーム部と左アーム部とを交差させて折りたたんだ状態を保持する保持手段を備えていることを特徴とする。保持手段としてはフック状の手段によって係止する手段や磁石を用いて磁気的な吸着手段を利用することができる。
【０００６】
また、前記ハンガーが、衣類の襟の部分の形を整えるアタッチメントを備えていることにより、衣類の肩の部分と袖の部分の他に襟部分についても形を整えながら乾燥させることができる。
また、前記ハンガーが、衣類の袖口部分の形を整えるアタッチメントを備えていることにより、乾燥時に袖口部分についても形を整えることができる。
また、前記ハンガーが、衣類の胴部分の形を整えるとともに、支持アーム部に荷重を加えるための大クリップを備えていることにより、胴部分等にしわが生じることを抑えることができるとともに、乾燥時に衣類の肩部等に的確に折り目をつけることができる。また、前記ハンガーが、衣類の袖部分の形を整えるとともに、袖部分に荷重を作用させるための吊り下げロッドを備えていることにより、乾燥時に袖部分にも的確に折り目をつけることができる。
【発明の効果】
【０００７】
本発明に係るハンガーによれば、衣類を乾燥させる際にしわが生じないようにすることができるとともに、衣類を乾燥させるときに折り目をつけることができ、アイロン掛けすることなく仕上がりのきれいな衣類として得ることができる。本発明に係るハンガーは、ワイシャツなどの衣類を洗濯した後、乾かすときにハンガーにセットするだけできれいな仕上がりとすることができるから、操作が容易でアイロン掛けといった煩わしさを軽減することができる。
【発明を実施するための最良の形態】
【０００８】
（第１の実施の形態）
図１は本発明に係るハンガーの第１の実施の形態の構成を示す正面図である。本実施の形態のハンガー１０は、フック１２にワイシャツの肩部と袖部を支持するための支持アーム部２０を連結して形成されたものであり、支持アーム部２０は、フック１２に連結する主アーム部１３と、主アーム部１３の両端に各々連結される右アーム部１４および左アーム部１５とからなる。主アーム部１３はワイシャツの肩部分を支持するためのものであり、右アーム部１４および左アーム部１５はワイシャツの右袖および左袖を支持するためのものである。なお、ワイシャツのサイズが相違しても使用できるように、主アーム部１３は大きいサイズのワイシャツの肩幅程度に形成され、左アーム部１５と右アーム部１４も大きいサイズのワイシャツの袖口部分まで支持できる長さに形成されている。
【０００９】
主アーム部１３と右アーム部１４および左アーム部１５は、連結部１６により、その上端縁が滑らかに連続するように位置合わせして、折りたたみ可能に連結されている。
図２に連結部１６の構成を示す。連結部１６は主アーム部１３の端部の側面に固定したフック板１６１と、フック板１６１に係合して装着したフックアーム１６２と、フックアーム１６２を係止する係止板１６３とからなる。
フックアーム１６２はワイヤをコの字形に折曲されて形成された部材であり、左アーム部１５の側面に固定された係止板１６３に先端側を差し込んで、主アーム部１３と左アーム部１５とが連結されている。
【００１０】
フックアーム１６２の基部に設けられた軸部１６２ａは、フック板１６１に設けられている軸受け部１６１ａにフックアーム１６２を開き方向に弾発して回動可能に挿入される。フックアーム１６２が当接する軸受け部１６１ａの端面には突起を挟んで２つの切り欠きが設けられている。突起部を超えて左アーム部１５に対向する側の切り欠きにフックアーム１６２が係止されることにより左アーム部１５は開き状態となり、主アーム部１３に対向する側の切り欠きにフックアーム１６２が係止されることにより左アーム部１５は閉じ状態になる。本実施形態においては、フックアーム１６２および軸受け部１６１ａおよび軸受け部１６１ａに設けた切り欠きが左アーム部１５を折りたたみ位置に保持する保持手段を構成する。
なお、右アーム部１４に設ける連結部１６の構成は、左アーム部１５に設ける連結部１６の構成と左右対称配置となる以外は全く同様である。
【００１１】
右アーム部１４および左アーム部１５には、ワイヤ状に形成された吊り下げ部材１８により、右アーム部１４および左アーム部１５の延出方向と略平行に上下動可能に吊り下げロッド１７が取り付けられている。吊り下げロッド１７は、ハンガー１０を吊した状態で、自重によって下位置に下降するように設けられる。本実施形態では、吊り下げロッド１７の先端が右アーム部１４および左アーム部１５の先端よりも各々若干延出するように吊り下げロッド１７の長さが設定されている。なお、吊り下げロッド１７が自重で下位置に移動しないように、吊り下げロッド１７の上面と右アーム部１４および左アーム部１５の下端縁に磁石を取り付けて、右アーム部１４および左アーム部１５の下端縁に吊り下げロッド１７を磁気的に吸着させるようにすることもできる。
【００１２】
図３に、右アーム部１４に吊り下げロッド１７を取り付けた状態の断面図（図１のＢ−Ｂ’線断面図）を示す。右アーム部１４には、抜け止め部材１８１により抜け止めして吊り下げ部材１８を挿抜する挿入穴１４１が設けられ、吊り下げ部材１８の下端部に吊り下げロッド１７が係止されている。吊り下げロッド１７は断面方向の下面が円弧状に湾曲して形成されている。
なお、左アーム部１５に取り付けられる吊り下げロッド１７の構成も図３に示す右アーム部１４に取り付けた吊り下げロッド１７の構成と同様である。図１では、左アーム部１５に取り付けた吊り下げロッド１７が上位置に移動した状態を説明的に示している。
【００１３】
図３では、右アーム部１４の上端縁１４ａが、断面形状で上方が尖鋭になるエッジ状に形成されていることを示している。本実施形態のハンガー１０において特徴とする構成の一つは、支持アーム部２０の上端縁を断面形状で上方が尖鋭になるエッジ状に形成したことにある。すなわち、支持アーム部２０を構成する主アーム部１３および右アーム部１４および左アーム部１５はいずれも、図３に示すと同様に、断面形状で、上方が尖鋭になるエッジ状に形成されている。
【００１４】
また、図１において、フック１２の基部には、主アーム部１３の上端縁から若干離間した位置に、襟押さえ１９が固定されている。この襟押さえ１９は洗濯したワイシャツをハンガー１０に掛ける際にワイシャツの襟の形を整えるためのもので、襟の後ろ側の湾曲した部位（首の後ろが当たる部位）に添えられるように湾曲した形状に形成されている。
また、フック１２の基部には同一形状に形成された一対のクリップ２１、２１が支持ワイヤ２２、２２に支持されて吊持されている。このクリップ２１、２１はワイシャツの襟先部分の形を整えるためのものである。
襟押さえ１９およびクリップ２１はともにワイシャツの襟の形を整えるアタッチメントとして使用される。
【００１５】
図４にクリップ２１の構成を拡大して示す。クリップ２１は、襟先の表側を押さえる表押さえ片２１ａおよび裏側を押さえる裏押さえ片２１ｂと、表押さえ片２１ａを開閉する押圧片２１ｃとを備える。裏押さえ片２１ｂには押圧片２１ｃに対向して押圧部２１ｄが設けられ、押圧部２１ｄに支持ワイヤ２２が接続されている。
図５は、図４のＣ−Ｃ’線断面図であり、襟先部分を湾曲形状に整えることができるように、表押さえ片２１ａと裏押さえ片２１ｂとを断面形状で湾曲形状としていることを示す。裏押さえ片２１ｂの内面には、襟先を確実に押さえることができるよう柔軟性を有する緩衝材２１ｅが被覆されている。
図６は、図４のＤ−Ｄ’線断面図であり、押圧片２１ｃと押圧部２１ｄとの間に弾性体２３が介装されていることを示す。
【００１６】
続いて、上記実施形態のハンガー１０の使用方法について説明する。
図７は、洗濯後のワイシャツ５０を上述したハンガー１０に掛けて、乾燥させている状態を示す。
ワイシャツ５０をハンガー１０に掛ける際には、まず、右アーム部１４と左アーム部１５とを開いた状態で、右アーム部１４と左アーム部１５に袖部を通してワイシャツ５０をハンガー１０に掛ける。右アーム部１４と左アーム部１５に袖を通すときに、吊り下げロッド１７も袖の中に通すようにし、吊り下げロッド１７を袖の中に落とし込むようにする。なお、ワイシャツ５０が半袖の場合は袖口が右アーム部１４と左アーム部１５の中間部分に位置するようになる。
【００１７】
次に、ワイシャツ５０の襟を襟押さえ１９に当てて襟の後ろ部分の形を整え、襟先部分をクリップ２１、２１で押さえ、ワイシャツ５０の襟部分のボタンをはめる。これによって襟の形が整えられる。
次に、支持アーム部２０のエッジ状に形成されている上端縁をワイシャツ５０の肩部と袖の折り目の位置に一致させるようにワイシャツ５０の支持位置を調節する。ワイシャツ５０の折り目の位置を支持アーム部２０のエッジ部分に合わせたら、洗濯用のクリップ２５で主アーム部１３の端部でワイシャツ５０の肩の部分を止めるようにする。
【００１８】
次いで、ワイシャツ５０の胴の部分をピンと張ってしわを伸ばし、ワイシャツ５０の裾の前側と後ろ側を大クリップ２６、２７で止める。大クリップ２６、２７はワイシャツ５０の裾部分の形を整えるとともに、その自重でワイシャツ５０の胴部分を下側に引っ張る作用をなす。図８に大クリップ２６の斜視図を示す。大クリップ２６はワイシャツ５０の裾部分の横幅と略等しい長さに形成された押さえ部２６ａと、押さえ部２６ａを開閉する開閉部２６ｂとを備える。開閉部２６ｂには押さえ部２６ａによって弾性的にワイシャツ５０の裾部分をクリップするためのスプリングが装着されている。
【００１９】
上記のようにワイシャツ５０を支持アーム部２０に位置合わせしてセットした後、右アーム部１４と左アーム部１５とを連結部１６で内側に折りたたむようにする。右アーム部１４と左アーム部１５とを折りたたむことにより、ワイシャツ５０の袖部分が右アーム部１４と左アーム部１５とともに折りたたまれる。連結部１６に設けられているフックアーム１６２が軸受け部１６１ａに設けられている切り欠きに係止されることにより、右アーム部１４と左アーム部１５が折りたたまれた位置で係止されて保持される。
【００２０】
ワイシャツ５０の袖部分では吊り下げロッド１７が自重で下降し、袖部分に吊り下げロッド１７の荷重が加わるようになる。吊り下げロッド１７の先端部は右アーム部１４および左アーム部１５の先端から若干延出し、ワイシャツ５０の袖口部分のボタンを嵌めることによって吊り下げロッド１７の荷重が袖口部分にも作用して袖口部分の形も整えられる。なお、本実施形態では、ワイシャツ５０の袖が袖口側に向けて徐々に幅狭となることから、右アーム部１４および左アーム部１５と吊り下げロッド１７との離間間隔が先端側で徐々に狭くなるように設定して、袖の全体に吊り下げロッド１７の荷重が作用するようにしている。
【００２１】
図７は、こうして、ハンガー１０にワイシャツ５０を整えて掛け、袖部分を折りたたんで乾燥させる状態としたものである。ワイシャツ５０は支持アーム部２０の上端縁がエッジ状に形成されていることにより、肩部分および袖部分に折り目をつけた状態で乾燥される。大クリップ２６、２７によってワイシャツ５０の胴部分を下向きに引っ張る力が作用すること、袖部分では吊り下げロッド１７の自重で下向きに引っ張られることによって、折り目を的確につけることが可能になり、ワイシャツ５０全体のたるみをなくして、しわを生じさせずに乾かすことができる。
袖部分については右アーム部１４と左アーム部１５を連結部１６で折りたたむようにするから、アームが外側に大きく開くことが防止でき、アームが邪魔にならず、乾燥スペースの省スペース化を図ることができる。
【００２２】
（第２の実施の形態）
図９〜図１２は、本発明に係るハンガーの第２の実施の形態の構成を示す。図９はハンガー３０の正面図である。ハンガー３０の支持アーム部２０が、主アーム部１３と右アーム部１４および左アーム部１５とからなることは第１の実施の形態の場合と同様である。本実施形態のハンガー３０では、連結部１６ａとして蝶番を設けて右アーム部１４と左アーム部１５とを連結部１６ａで折りたたみ可能とし、右アーム部１４と左アーム部１５の左右対称位置に磁石３１、３２を取り付けている。磁石３１、３２は右アーム部１４と左アーム部１５を折りたたんだ際に、交差する位置で互いに磁気的に吸着して、右アーム部１４と左アーム部１５を交差状態に保持するためのものである。磁石３１は右アーム部１４の外側面に取り付けられ、磁石３２は左アーム部１５の内側面に取り付けられている。
【００２３】
図１０は、ハンガー３０とともに使用するアタッチメントを示す。図１０(a)は、ワイシャツの襟の内側に挿入して襟全体の形を整えるための襟押さえ部材３３を示す。図１０(b)はワイシャツの襟の前側部分の形を矯正するための押さえクリップ３４ａ、３４ｂを示す。押さえクリップ３４ａ、３４ｂは、ガイド片３５とクリップ部３６とからなる。ガイド片３５は襟を湾曲した形状に整えることができるように湾曲面に形成されている。図１０(c)は、襟押さえ部材３３に押さえクリップ３４ａ、３４ｂを取り付けた状態を示す。襟押さえ部材３３の外面にガイド片３５を添わせるようにして押さえクリップ３４ａ、３４ｂを取り付けて使用する。
押さえクリップ３４ａのクリップ部３６の端部には引っ掛け孔３６ａが形成され、押さえクリップ３４ｂのクリップ部３６の端部には引っ掛け孔３６ａに係合するフック３６ｂが形成されている。
【００２４】
図１１は、ワイシャツを乾燥させる際に袖口の形を整えるためのリングクリップ３７を示す。このリングクリップ３７は、袖口を湾曲形状に整えるリング押さえ部３７ａと、リング押さえ３７ａの端部に設けたクリップ部３７ｂ、３７ｂとからなる。リング押さえ部３７ａは弾性材によって形成し、袖口部分の形状を矯正することが可能となっている。クリップ部３７ｂは袖口の開き側の端部を係止するためのものである。
【００２５】
図１２は、本実施形態のハンガー３０にワイシャツ５０を掛けて乾燥する状態を示す。本実施形態のハンガー３０を使用する場合も、主アーム部１３のエッジ状に形成した上端縁１３ａにワイシャツ５０の肩部分の折り目を位置合わせし、右アーム部１４と左アーム部１５に袖を通して、袖の折り目を右アーム部１４と左アーム部１５のエッジ状に形成した上端縁１４ａ、１５ａに位置合わせするようにしてワイシャツ５０をセットする。ワイシャツ５０の裾部分には大クリップ２６、２７が取り付けられる。
【００２６】
また、ワイシャツ５０の襟部分では、襟押さえ部材３３を襟の内側に挿入して襟の首回り部分の形を整えるとともに、襟先部分に押さえクリップ３４ａ、３４ｂを取り付けて襟先部分を湾曲形状に整える。押さえクリップ３４ａ、３４ｂのクリップ部３６に設けた引っ掛け孔３６ａにフック３６ｂを係合させることにより、襟押さえ部材３３と押さえクリップ３４ａ、３４ｂにより襟部分が一体的に保形される。
また、ワイシャツ５０の袖口部分には、リングクリップ３７が取り付けられ、袖口部分が湾曲形状に保形される。リングクリップ３７は重しとしての作用もあり、袖部分の折り目をつける作用もある。
【００２７】
ワイシャツ５０の襟および袖口を保形した後、右アーム部１４と左アーム部１５を連結部１６により内側に折りたたむ。本実施形態では右アーム部１４と左アーム部１５に設けた磁石３１、３２の吸着力により右アーム部１４と左アーム部１５とが交差した部位で折りたたみ状態が保持される。
この状態でワイシャツ５０を乾燥させることにより、上述した第１の実施形態の場合と同様に、ワイシャツ５０の肩部と袖部分に折り目をつけて乾燥させることができ、ワイシャツ５０にしわが生じないようにして乾燥させることができる。
【００２８】
なお、ハンガー３０の主アーム部１３および右アーム部１４、左アーム部１５はワイシャツ５０のサイズの相違に対応できるように、大きいサイズのワイシャツ５０を掛けることができる長さに設定し、襟押さえ部材３３や押さえクリップ３４ａ、３４ｂも大きいサイズのワイシャツ５０を押さえることができる大きさとしてサイズが相違するワイシャツ５０にも共通に使用可能とする。
また、上記実施形態では、右アーム部１４と左アーム部１５とに各々磁石３１、３２を設けたが、一方に磁石を設けて、他方に磁性金属片を設けるといった方法によることも可能である。
【００２９】
上述した各実施形態において示したハンガー１０、３０によれば、ワイシャツを吊り下げる支持アーム部２０を主アーム部１３と右アーム部１４および左アーム部１５によって形成し、アーム部の上端縁をエッジ状に形成することによってワイシャツの肩部と袖部に折り目をつけるようにして乾かすことができ、アイロンを使用することなく折り目のついたワイシャツを得ることができる。これらのハンガー１０、３０によれば、洗濯をしたワイシャツを干すときに、ワイシャツの形を整えるようにしてハンガー１０、３０に掛けるだけで折り目のついたワイシャツが得られるから、きわめて操作が簡単である。また、ワイシャツを干す場合も、広いスペースが不要であり、どこでも使用することができ、またハンガー１０、３０の構成も簡易であって、旅行等で携行して使用するといったことも可能である。
なお、上記実施形態ではハンガー１０、３０に洗濯したワイシャツを掛けて乾燥させる例について説明したが、上記ハンガー１０、３０にはワイシャツの他に、カラーシャツや半袖シャツを掛けて使用することももちろん可能である。
【図面の簡単な説明】
【００３０】
【図１】本発明に係るハンガーの第１の実施形態の構成を示す正面図である。
【図２】主アーム部と左アーム部との連結部の構成を示す斜視図である。
【図３】右アーム部と吊り下げ部材の断面図である。
【図４】クリップの構成を示す斜視図である。
【図５】図４のＣ−Ｃ’線断面図である。
【図６】図４のＤ−Ｄ’線断面図である。
【図７】第１の実施形態のハンガーにワイシャツをセットした状態を示すの説明図である。
【図８】大クリップの構成を示す斜視図である。
【図９】本発明に係るハンガーの第２の実施形態の構成を示す正面図である。
【図１０】襟押さえ部材と押さえクリップの構成を示す説明図である。
【図１１】リングクリップの構成を示す斜視図である。
【図１２】第２の実施形態のハンガーにワイシャツをセットした状態を示す説明図である。
【符号の説明】
【００３１】
１０、３０  ハンガー
１２  フック
１３  主アーム部
１４  右アーム部
１５  左アーム部
１６、１６ａ  連結部
１７  吊り下げロッド
１８  吊り下げ部材
１９  襟押さえ
２０  支持アーム部
２１  クリップ
２６、２７  大クリップ
３１、３２  磁石
３３  襟押さえ部材
３４ａ、３４ｂ  押さえクリップ
３７  リングクリップ
５０  ワイシャツ
１６２  フックアーム
【図１】
2006087787.tif 000003
【図２】
2006087787.tif 000004
【図３】
2006087787.tif 000005
【図４】
2006087787.tif 000006
【図５】
2006087787.tif 000007
【図６】
2006087787.tif 000008
【図７】
2006087787.tif 000009
【図８】
2006087787.tif 000010
【図９】
2006087787.tif 000011
【図１０】
2006087787.tif 000012
【図１１】
2006087787.tif 000013
【図１２】
2006087787.tif 000014